(57)【要約】      （修正有）【課題】放電対象に固定するための挟時手段を持つ、携帯型の静電気除去具を提供する。【解決手段】高抵抗を有する静電気入力電極１と、前記静電気入力電極１と電気的に接続された静電気出力電極を備えるとともに、ものを挟持することが可能なように基板部５およびそれと対抗するばね状の曲げ部６から構成され、少なくとも一方が静電気出力電極と電気的に接続された挟持手段を備える静電気除去具。【選択図】        図１
2007323943.tif 000002
【特許請求の範囲】
【請求項１】
高抵抗を有する静電気入力電極と、前記静電気入力電極と電気的に接続された静電気出力電極と、ものを挟持することが可能な挟持手段を備え、前記挟持手段のものを挟むための面の少なくとも一方が、前記静電気出力電極と電気的に接続されていることを特徴とする静電気除去具。
【請求項２】
高抵抗を有する静電気入力電極とコロナ放電をするための孔を有し、前記孔の内側に針状突起を有するコロナ放電電極を備えたことを特徴とする請求項１の静電気除去具。
【発明の詳細な説明】
【技術分野】
【０００１】
本発明は静電気除去具に関する。
【背景技術】
【０００２】
カーペット等が敷いてある場所で、部屋の出入りの際ドアノブに手を触れた瞬間に静電気によるシビレや電撃を感じることがある。特に冬場の乾燥期に多い。これはカーペットを敷いてある床上を歩くことにより、靴やスリッパなどの履き物とカーペットとが擦れあい、人体に静電気が帯電することに起因するものであり、ドアノブなどの導体に手を触れた時、人体からドアノブへ静電気が放電するために生ずる衝撃である。静電気放電は、金属に触れる時に発生しやすく、ドアやドアフレームなど表面積が大きいものほど顕著である。一般に人体が、２ｋＶ以上に帯電すると、静電気によるシビレや電撃を感じることが知られている。人体から金属などの導体への静電気放電が一瞬に生じるとシビレや電撃の原因となるため、高抵抗体を用いて静電気の放電時間を長くしたり、コロナ放電により徐々に放電していくことでシビレや電撃の防止方法を図る携帯型の静電気除去具が市販されている。
【０００３】
【特許文献１】実用新案登録第２５９３２８６号
【発明の開示】
【発明が解決しようとする課題】
【０００４】
市販されている静電気除去具としては、携帯しやすいようにキーホルダーの形態をしたタイプが知られている。キーホルダータイプのものは、ポケットやバッグにしまって持ち歩いたり、ズボンのベルト通しに吊り下げて携帯される。使用する時には手にとって、静電気入力電極を握りながら、静電気出力電極を放電対象に近づけ接地する。しかしながら、時として携帯性を活かしつつも、設置型の静電気除去具の様に使用したいことがある。例えば、冬場会社やトレーニングジムで着替えた際、服を脱ぐことによって体が帯電し、金属製のロッカーに不用意に触れることにより放電して、電撃を感じることがある。従来の携帯型静電気除去具ではこの場合、着てきた服のポケットなどから予め静電気除去具を取り出して、直ぐに使える場所に置いておいたり、着替えた服に直ぐに入れ替えて携帯し、必要な時に静電気除去具を手に取って使用して電撃を防止していた。ポケットやカバンから何度も取り出すことは面倒であるし、直ぐに使える場所に置いた場合でも場所によっては、静電気除去具を取る時に指先からその場所に対して、放電して電撃を感じる恐れもある。設置型の静電気除去具は、個人所有のロッカーでもない限り設置できない。
【課題を解決するための手段】
【０００５】
本発明は従来の問題に鑑みなされたもので、高抵抗を有する静電気入力電極と、前記静電気入力電極と電気的に接続された静電気出力電極と、ものを挟持することが可能な挟持手段を備え、前記挟持手段のものを挟むための面の少なくとも一方が、前記静電気出力電極と電気的に接続されていることを第１の要旨とする静電気除去具である。また高抵抗を有する静電気入力電極とコロナ放電をするための孔を有し、前記孔の内側に針状突起を有するコロナ放電電極を備えたことを第２の要旨とする静電気除去具である。
【発明の効果】
【０００６】
本発明によれば、挟持手段を用いて携帯型の静電気除去具を放電対象に固定して使うことができる。
【実施例１】
【０００７】
以下、本発明の詳細について添付図面を参照して説明する。図１に本実施例の静電気除去具の図を示す。図２は図１の静電気除去具の断面図である。参照符号１は、導電性ゴムなどの高抵抗を有する材料からなる静電気入力電極を示す。本発明の静電気除去具の静電気入力電極１の表面抵抗値としては、１ｋΩ〜１００ＧΩの値が選択される。静電気入力電極１の抵抗は、人体から放電対象に静電気をゆっくり移動させることで電撃を感じさせない役割をもつ。表面抵抗値が１ｋΩ未満であると、静電気が瞬時に移動するために電撃を感じてしまう。また表面抵抗値が１００ＧΩを超えると、静電気の移動に時間がかかりすぎるため実使用に耐えない。ステンレスやニッケルめっきなどの表面処理を施された鋼材よりなる静電気出力電極２は、入力電極１の溝３に差し込まれて電気的に接続されており、ねじとナット４により静電気入力電極１に固定されている。静電気出力電極２はプレス加工で成形されたもので、基部５と基部５から切り曲げ加工で起こされた曲げ部６を備える。曲げ部６は材料の弾性によりばね性を有し、基部５と曲げ部６の間に物を差し込むと曲げ部６がたわみ、曲げ部６の復元力によって、差し込んだ物を保持する挟持手段７を構成する。板状の構造物（図示せず）に対しては、挟持手段７を使って静電気除去具そのものを保持することができる。更に板状の構造物が導電性を有するならば、挟持手段７によって、構造物と静電気除去具は電気的に接続される。
【０００８】
使用方法について、図３を用いて説明する。金属製ロッカーが設置された更衣室での着替えを例とする。更衣室の金属製ロッカー９の前に来た使用者は、ドア１０を開ける際に静電気による電撃を感じないように先ず、携帯していた静電気除去具８を取り出して、静電気入力電極１を握って静電気出力電極２を金属製ロッカー９に向けて近づけ当接する。これにより仮に使用者が帯電していたとしても、使用者から金属製ロッカー９に静電気がゆっくり流れ、使用者と接地面との電位差はなくなるので、ドア１０を開ける際静電気による電撃を感じない。使用者は次に、ドア１０の内側にある折り曲げ部１１に挟持手段７を使って静電気除去具８を取り付けてから着替える。着替え終えた使用者は、服を脱いだことにより帯電しておりそのままドア１０を閉めようとすると静電気による電撃を受ける。そこで使用者はドア１０に取り付けた静電気除去具８の静電気入力電極１に触れて静電気を金属製ロッカー９にゆっくり移動させ電撃を回避する。さて、多くの金属製ロッカーは、錆防止や意匠的な理由から塗装されていて、電気を流し難い状態にある。従って静電気除去具を用いた除電動作では人体と金属製ロッカーの間の電位差が十分に小さくならない場合がある。従って、ロッカーの鍵穴部分であるとかドアの開け閉めをするためのドアノブなどが塗装されていないため塗装部よりも電気を流し安い状態である時、その部分に触れれば電撃を感じてしまう。塗装された対象に対して静電気除去具を使用したい場合には電気を流し易い部分を見つければ良いのであるが、実際には難しいものである。貼り付けて使う固定式タイプであるシート状の静電気除去具もこうした場面では使用が難しい。更に着替えをした時は帯電し易いから静電気による電撃を感じる危険性が高い。一般的にドア９の内側にある曲げ部１１というのは塗装が回っていない、あるいは薄いことが多く、静電気除去具を取り付けるには好都合であり、挟持手段による静電気除去具の取付は好適であると言える。
【０００９】
次に第２の実施例について図説明する。第１の実施例は、人体が静電気入力電極に触れた時に静電気が移動する接触方式であった。直接方式は、静電気を速やかに完全に放電させることができ部品構成が少ないことから比較的安価に製造することができるが、抵抗体の抵抗値が適切でないとか使用者が敏感であったなどの場合、固定型として使用すると放電時に電撃を感じることがある。第２の実施例は静電気入力電極をコロナ放電電極とすることで、徐々に放電させて静電気による電撃を軽減するものである。導電性ゴムなどの高抵抗を有する材料からなる中空ケース１２の底に導電繊維からなるコロナ放電電極１３を挿入し、次に静電気出力電極１４を挿入する。静電気出力電極１４には、接着やモールド等の方法でブッシュ１７が固着していて、ブッシュ１７をケース１２に圧入することにより、静電気出力電極１４は固定される。ケース１２と静電気出力電極１４はコロナ放電電極１３を介して電気的に接続される。ケース１２の底にはコロナ放電孔となる穴１６が複数あけてある。コロナ放電電極１３はコロナ放電させるために針状突起を有する導電性材料からなり、ステンレス繊維のウエブやフェルト、めっき処理された合成繊維の織布や不織布などの素材が選ばれる。ステンレスやニッケルめっきなどの表面処理をされた施された鋼材をプレス成形して作られる静電気出力電極１４の一端には接続端１５があって、接続端１５はコロナ放電電極１３に圧接されており、コロナ放電電極１３と静電気出力電極１４は電気的に接続されている。静電気出力電極１４の他端には、第１の実施例で説明したものと同様に挟持手段が形成されている。次に第１の実施例で用いたのと同様に、更衣室における使用方法を例として説明する。金属製ロッカーの前に来た使用者は、第２の実施例で示す静電気除去具のケースを握って静電気出力電極１４を金属製ロッカーに接触する。使用者の人体にたまった静電気はゆっくりと金属製ロッカーに流れるので使用者は電撃を感じない。使用者は着替えるためにロッカーのドアを開け、ドアの内側にあるドアを構成する板金の折り返し部に出力電極１４の挟持手段を用いて静電気除去具を取り付ける。着替え終えた使用者は静電気除去具のコロナ放出孔１６に指を近づけ孔に触れる。コロナ放電電極１３に指が近づくにつれて指とコロナ放電電極の間でコロナ放電が起きて徐々に放電し、コロナ放電孔１６に触れた時点でドアと使用者の電位差は無くなるので、使用者がドアに直接触れても静電気による電撃を感じない。
【００１０】
静電気出力電極に設けた挟持手段は、携帯型の静電気除去具を固定型の静電気除去具として使用できるようにするものである。ものを挟持する手段としては、第１、第２の実施例で用いたプレス成形によるもので無くとも、洗濯ばさみの様にコイルばねや板ばねなどのばね部材による挟持力を得るものでも良い。洗濯ばさみのような構造にすると挟める厚さの範囲が広がるので、挟持対象が多くなる。
【図面の簡単な説明】
【００１１】
【図１】第１実施例の説明図。
【図２】第１実施例の説明図。
【図３】第１実施例の使用状態説明図。
【図４】第２実施例の説明図。
【符号の説明】
【００１２】
１    静電気入力電極
２    静電気出力電極
３    溝
４    ねじ及びナット
５    基板部
６    曲げ部
７    挟持手段
８    静電気除去具
９    金属製ロッカー
１０  ドア
１１  曲げ部
１２  ケース
１３  コロナ放電電極
１４  静電気出力電極
１５  接続端
１６  コロナ放電孔
１７  ブッシュ
【図１】
2007323943.tif 000003
【図２】
2007323943.tif 000004
【図３】
2007323943.tif 000005
【図４】
2007323943.tif 000006